【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
通信ネットワークを介して受注チャネルから画像データおよび注文を受け付ける、画像ネットワークのセンターサーバであって、
前記受注チャネルから供給された画像データを、注文を受けたことがある注文済画像データか、注文を受けたことがない未注文画像データかを識別する注文識別子を付与して、保管する画像保管機能と、
前記受注チャネルから供給された画像データの注文を顧客ごとに受け付けて管理する注文受付機能と、
前記画像保管機能が保管している画像データのうち、前記注文識別子に基づいて、前記未注文画像データの容量を顧客ごとに合計し、合計値が、予め設定した上限値を超えない範囲にあるか否かを管理する容量管理機能と
を有することを特徴とするセンターサーバ。
【請求項２】
前記容量管理機能は、前記合計値が前記上限値を超えると判断した場合、前記受注チャネルに対してその旨を通知すると共に、前記受注チャネルに、前記合計値が前記上限値を超えることを防止する対処方法を複数の選択肢として表示させる請求項１に記載のセンターサーバ。
【請求項３】
前記受注チャネルに表示させる選択肢は、前記画像保管機能に供給する画像の再選択、前記画像保管機能に保管されている未注文画像の削除、前記画像保管機能に保管されている未注文画像の注文、前記画像保管機能に保管されている未注文画像の画像サイズ変換、前記画像保管機能に保管されている未注文画像の圧縮、および前記画像保管機能に保管されている未注文画像のファイルフォーマット変換のうちの１つ以上である請求項２に記載のセンターサーバ。
【請求項４】
前記受注チャネルに表示させる選択肢から、前記画像保管機能に保管されている未注文画像の削除、前記画像保管機能に保管されている未注文画像の注文、前記画像保管機能に保管されている未注文画像の画像サイズ変換、前記画像保管機能に保管されている未注文画像の圧縮、および前記画像保管機能に保管されている未注文画像のファイルフォーマット変換のいずれかが選択された場合、前記受注チャネルに前記画像保管機能に保管されている未注文画像のサムネイル画像を表示させる請求項３に記載のセンターサーバ。
【請求項５】
前記容量管理機能は、
前記選択肢に基づいて、前記画像サイズ変換、前記圧縮、または前記ファイルフォーマット変換を実行された画像に対して、実行された処理内容を示す処理識別子を付与し、
前記受注チャネルに前記サムネイル画像を表示させる際には、前記処理識別子に基づいて前記処理内容をも表示する請求項４に記載のセンターサーバ。
【請求項６】
前記受注チャネルに、前記画像保管機能に保管されている未注文画像のサムネイル画像をファイルサイズ順または前記画像保管機能に供給された日付順に表示させる請求項４または５に記載のセンターサーバ。
【請求項７】
通信ネットワークを介して受注チャネルから画像データおよび注文を受け付ける、画像ネットワークのセンターサーバであって、
前記受注チャネルから供給された画像データを保管する画像保管機能と、
前記受注チャネルから供給された画像データの注文を顧客ごとに受け付けて管理する注文受付機能と、
前記画像保管機能が保管している画像データの容量を顧客ごとに合計し、合計値が、予め設定した上限値を超えない範囲にあるか否かを管理する容量管理機能とを有し、
前記容量管理機能は、前記合計値が前記上限値を超えると判断した場合、前記受注チャネルに対してその旨を通知すると共に、前記受注チャネルに、前記合計値が前記上限値を超えることを防止する対処方法を複数の選択肢として表示させることを特徴とするセンターサーバ。
【請求項８】
前記受注チャネルに表示させる選択肢は、前記画像保管機能に供給する画像の再選択、前記画像保管機能に保管されている画像の削除、前記画像保管機能に保管されている画像の画像サイズ変換、前記画像保管機能に保管されている画像の圧縮、および前記画像保管機能に保管されている画像のファイルフォーマット変換のうちの１つ以上である請求項７に記載のセンターサーバ。
【請求項９】
顧客からの注文を受け付けてその注文情報および顧客情報を送信する受注チャネルと、
請求項１〜８のいずれかに記載のセンターサーバとを有することを特徴とする画像ネットワークシステム。
【手続補正２】
【補正対象書類名】明細書
【補正対象項目名】００１１
【補正方法】変更
【補正の内容】
【００１１】
また、前記受注チャネルに表示させる選択肢は、前記画像保管機能に供給する画像の再選択、前記画像保管機能に保管されている未注文画像の削除、前記画像保管機能に保管されている未注文画像の注文、前記画像保管機能に保管されている未注文画像の画像サイズ変換、前記画像保管機能に保管されている未注文画像の圧縮、および前記画像保管機能に保管されている未注文画像のファイルフォーマット変換のうちの１つ以上であるのが好ましい。
また、前記受注チャネルに表示させる選択肢から、前記画像保管機能に保管されている未注文画像の削除、前記画像保管機能に保管されている未注文画像の注文、前記画像保管機能に保管されている未注文画像の画像サイズ変換、前記画像保管機能に保管されている未注文画像の圧縮、および前記画像保管機能に保管されている未注文画像のファイルフォーマット変換のいずれかが選択された場合、前記受注チャネルに前記画像保管機能に保管されている未注文画像のサムネイル画像を表示させるのが好ましい。
【手続補正３】
【補正対象書類名】明細書
【補正対象項目名】００１２
【補正方法】変更
【補正の内容】
【００１２】
また、前記容量管理機能は、前記選択肢に基づいて、前記画像サイズ変換、前記圧縮、または前記ファイルフォーマット変換を実行された画像に対して、実行された処理内容を示す処理識別子を付与し、前記受注チャネルに前記サムネイル画像を表示させる際には、前記処理識別子に基づいて前記処理内容をも表示するのが好ましい。
また、前記受注チャネルに、前記画像保管機能に保管されている未注文画像のサムネイル画像をファイルサイズ順または前記画像保管機能に供給された日付順に表示させるのが好ましい。
【手続補正４】
【補正対象書類名】明細書
【補正対象項目名】００１３
【補正方法】変更
【補正の内容】
【００１３】
また、前記目的を達成するために、本発明では、通信ネットワークを介して受注チャネルから画像データおよび注文を受け付ける、画像ネットワークのセンターサーバであって、前記受注チャネルから供給された画像データを保管する画像保管機能と、前記受注チャネルから供給された画像データの注文を顧客ごとに受け付けて管理する注文受付機能と、前記画像保管機能が保管している画像データの容量を顧客ごとに合計し、合計値が、予め設定した上限値を超えない範囲にあるか否かを管理する容量管理機能とを有し、前記容量管理機能は、前記合計値が前記上限値を超えると判断した場合、前記受注チャネルに対してその旨を通知すると共に、前記受注チャネルに、前記合計値が前記上限値を超えることを防止する対処方法を複数の選択肢として表示させることを特徴とするセンターサーバを提供する。
【手続補正５】
【補正対象書類名】明細書
【補正対象項目名】００１４
【補正方法】変更
【補正の内容】
【００１４】
さらに、前記受注チャネルに表示させる選択肢は、前記画像保管機能に供給する画像の再選択、前記画像保管機能に保管されている画像の削除、前記画像保管機能に保管されている画像の画像サイズ変換、前記画像保管機能に保管されている画像の圧縮、および前記画像保管機能に保管されている画像のファイルフォーマット変換のうちの１つ以上であることが好ましい。